【手続補正書】
【提出日】平成30年3月6日(2018.3.6)
【手続補正１】
【補正対象書類名】特許請求の範囲
【補正対象項目名】全文
【補正方法】変更
【補正の内容】
【特許請求の範囲】
【請求項１】
画像処理装置と、画像出力装置と、データの変換を行う変換サーバを含み、それぞれがネットワークを介して接続される画像出力システムであって、
前記画像処理装置は、
前記ネットワークを介して外部装置より受信する印刷データを記憶する記憶手段と、
前記変換サーバに対して前記印刷データの変換処理の要求を行なう変換制御手段とを備え、
前記変換サーバは、
前記画像処理装置からの前記要求に応じて、前記印刷データを所定の形式に変換する変換処理を行なう変換手段と、
前記変換手段による変換後の印刷データの所在を示す参照情報を生成する参照情報生成手段と、
前記画像処理装置からの前記要求への応答として、前記参照情報を前記画像処理装置に送信する参照情報送信手段とを備え、
前記画像出力装置は、
前記画像処理装置に対して、前記画像出力装置の機器構成情報を通知するとともに、印刷データ要求を行なう要求手段と、
印刷処理を行なう印刷手段とを備え、
前記画像処理装置は、さらに、
前記画像出力装置からの前記印刷データ要求への応答として、前記機器構成情報に基づいて、前記記憶手段に記憶された前記印刷データ、あるいは前記変換サーバより受信した前記参照情報の何れかを前記画像出力装置に出力する応答手段を備え、
前記画像出力装置において、
前記印刷手段は、前記画像処理装置より前記参照情報を受信した場合は、当該参照情報を基に、前記変換サーバより、前記変換手段による変換後の印刷データを取得して印刷を行ない、前記画像処理装置より前記印刷データを受信した場合は、当該印刷データを基にして印刷を行うことを特徴とする画像出力システム。
【請求項２】
前記外部装置より受信する前記印刷データはＰＤＬデータから成り、前記変換サーバの前記変換手段における前記変換処理は、前記ＰＤＬデータに含まれる描画命令を解釈して、有彩色を含む描画命令をグレースケールからなる描画命令に色変換を行う処理であることを特徴とする、請求項１に記載の画像出力システム。
【請求項３】
前記外部装置より受信する前記印刷データはＰＤＬデータから成り、前記変換サーバは、前記ＰＤＬデータに含まれる描画命令の複雑さ、あるいは前記変換処理の負荷の多寡に応じて、前記変換処理を行なうか否かを判断することを特徴とする、請求項１に記載の画像出力システム。
【請求項４】
前記外部装置より受信する前記印刷データはＰＤＬデータから成り、前記変換サーバは、前記ＰＤＬデータに含まれる描画命令を解釈して、所定の描画命令のみを変換対象として前記変換処理を行うことを特徴とする、請求項１または２に記載の画像出力システム。
【請求項５】
前記画像処理装置の前記変換制御手段は、前記機器構成情報と前記印刷データの印刷設定から、前記変換処理を要求するか否かを判断することを特徴とする、請求項１または２に記載の画像出力システム。
【請求項６】
前記外部装置より受信する前記印刷データはＰＤＬデータから成り、
前記画像処理装置は、
ユーザ操作を受け付ける操作部と、
前記操作部を介して得られたユーザ情報に基づいて認証を行う認証管理手段と、
前記印刷データに含まれるユーザ情報を、前記印刷データに関する書誌情報に含めて管理する書誌情報管理部と、
前記操作部からの印刷指示に基づいて、前記画像出力装置に対し、前記ユーザ情報に合致するＰＤＬデータを出力すると共に、前記画像出力装置からの前記印刷データ要求に基づいて、前記ユーザ情報に合致するＰＤＬデータを出力するＰＤＬデータ管理手段をさらに備えることを特徴とする、請求項１〜５のいずれか１項に記載の画像出力システム。
【請求項７】
前記画像処理装置は画像出力装置としての機能をさらに有することを特徴とする、請求項１〜６のいずれか１項に記載の画像出力システム。
【請求項８】
前記外部装置は印刷データ生成装置であることを特徴とする、請求項１〜７のいずれか１項に記載の画像出力システム。
【請求項９】
前記画像処理装置において、前記変換制御手段は、前記外部装置より受信する前記印刷データが有彩色を含む場合に、前記変換サーバに対して当該印刷データを有彩色を含まない印刷データに変換する変換処理の要求を行ない、前記応答手段は、前記画像出力装置からの前記印刷データ要求が有彩色を含む印刷データを要求する場合は、前記記憶手段に記憶された前記印刷データを出力し、前記印刷データ要求が有彩色を含まない印刷データを要求する場合は、前記変換サーバより受信した前記参照情報を前記画像出力装置に出力することを特徴とする、請求項１〜８のいずれか１項に記載の画像出力システム。
【請求項１０】
ネットワークを介して、画像出力装置と、データの変換を行う変換サーバとに接続される画像処理装置であって、
前記ネットワークを介して外部装置より受信する印刷データを記憶する記憶手段と、
前記変換サーバに対して前記印刷データの変換処理の要求を行なう変換制御手段と、
前記変換サーバより、前記要求への応答として、前記印刷データを所定の形式に変換した後の印刷データの所在を示す参照情報を受信する手段と、
前記画像出力装置より、前記画像出力装置の機器構成情報と、印刷データ要求を受信する手段と、
前記画像出力装置からの前記印刷データ要求への応答として、前記機器構成情報に基づいて、前記記憶手段に記憶された前記印刷データ、あるいは前記変換サーバより受信した前記参照情報の何れかを前記画像出力装置に出力する応答手段を備えることを特徴とする画像処理装置。
【請求項１１】
前記外部装置より受信する前記印刷データはＰＤＬデータから成り、前記変換サーバに要求する前記変換処理は、前記ＰＤＬデータに含まれる描画命令を解釈して、有彩色を含む描画命令をグレースケールからなる描画命令に色変換を行う処理であることを特徴とする、請求項１０に記載の画像処理装置。
【請求項１２】
前記外部装置より受信する前記印刷データはＰＤＬデータから成り、前記変換サーバに要求する前記変換処理は、前記ＰＤＬデータに含まれる描画命令の複雑さ、あるいは前記変換処理の負荷の多寡に応じて、前記変換処理を行なうか否かを判断する処理を含むことを特徴とする、請求項１０に記載の画像処理装置。
【請求項１３】
前記外部装置より受信する前記印刷データはＰＤＬデータから成り、前記変換サーバに要求する前記変換処理は、前記ＰＤＬデータに含まれる描画命令を解釈して、所定の描画命令のみを変換する処理を行うことを特徴とする、請求項１０または１１に記載の画像処理装置。
【請求項１４】
前記変換制御手段は、前記機器構成情報と前記印刷データの印刷設定から、前記変換処理を要求するか否かを判断することを特徴とする、請求項１０または１１に記載の画像処理装置。
【請求項１５】
前記外部装置より受信する前記印刷データはＰＤＬデータから成り、
前記画像処理装置は、
ユーザ操作を受け付ける操作部と、
前記操作部を介して得られたユーザ情報に基づいて認証を行う認証管理手段と、
前記印刷データに含まれるユーザ情報を、前記印刷データに関する書誌情報に含めて管理する書誌情報管理部と、
前記操作部からの印刷指示に基づいて、前記画像出力装置に対して、前記ユーザ情報に合致するＰＤＬデータを出力すると共に、前記画像出力装置からの前記印刷データ要求に基づいて、前記ユーザ情報に合致するＰＤＬデータを出力するＰＤＬデータ管理手段をさらに備えることを特徴とする、請求項１０〜１４のいずれか１項に記載の画像処理装置。
【請求項１６】
前記画像処理装置は画像出力装置としての機能をさらに有することを特徴とする、請求項１０〜１５のいずれか１項に記載の画像処理装置。
【請求項１７】
前記外部装置は印刷データ生成装置であることを特徴とする、請求項１０〜１６のいずれか１項に記載の画像処理装置。
【請求項１８】
前記変換制御手段は、前記外部装置より受信する前記印刷データが有彩色を含む場合に、前記変換サーバに対して当該印刷データを有彩色を含まない印刷データに変換する変換処理の要求を行ない、前記応答手段は、前記画像出力装置からの前記印刷データ要求が有彩色を含む印刷データを要求する場合は、前記記憶手段に記憶された前記印刷データを出力し、前記印刷データ要求が有彩色を含まない印刷データを要求する場合は、前記変換サーバより受信した前記参照情報を前記画像出力装置に出力することを特徴とする、請求項１０〜１７のいずれか１項に記載の画像処理装置。
【請求項１９】
ネットワークを介して、画像処理装置と、データの変換を行う変換サーバとに接続される画像出力装置であって、
前記画像処理装置に対して、前記画像出力装置の機器構成情報を通知するとともに、前記画像処理装置が前記ネットワークを介して外部装置より受信して記憶した印刷データの印刷データ要求を行なう要求手段と、
前記印刷データ要求への応答として、前記画像処理装置より、前記機器構成情報に基づいて、前記画像処理装置が受信して記憶した前記印刷データ、あるいは前記画像処理装置からの要求に対して前記変換サーバが前記印刷データを所定の形式に変換した後の印刷データの所在を示す参照情報の何れかを受信する受信手段と、
前記画像処理装置より前記参照情報を受信した場合は、当該参照情報を基に、前記変換サーバより、前記変換後の印刷データを取得して印刷を行ない、前記画像処理装置より前記印刷データを受信した場合は、当該印刷データを基にして印刷を行う印刷手段とを備えることを特徴とする画像出力装置。
【請求項２０】
前記外部装置より受信する前記印刷データはＰＤＬデータから成ることを特徴とする、請求項１９に記載の画像出力装置。
【請求項２１】
前記外部装置は印刷データ生成装置であることを特徴とする、請求項１９または２０に記載の画像出力装置。
【請求項２２】
前記画像処理装置は、前記外部装置より受信する前記印刷データが有彩色を含む場合に、前記変換サーバに対して当該印刷データを有彩色を含まない印刷データに変換する変換処理の要求を行ない、
前記受信手段は、前記要求手段が有彩色を含む印刷データを要求する場合は、前記画像処理装置が受信して記憶した前記印刷データを受信し、前記要求手段が有彩色を含まない印刷データを要求する場合は、前記参照情報を受信することを特徴とする、請求項１９〜２１のいずれか１項に記載の画像出力装置。
【請求項２３】
画像処理装置と、画像出力装置と、データの変換を行う変換サーバがネットワークを介して接続される画像出力システムにおける画像出力方法であって、
前記画像処理装置において、
前記ネットワークを介して外部装置より受信する印刷データを記憶し、
前記変換サーバに対して前記印刷データの変換処理の要求を行ない、
前記変換サーバにおいて、
前記画像処理装置からの前記要求に応じて、前記印刷データを所定の形式に変換し、
前記変換後の印刷データの所在を示す参照情報を生成し、
前記画像処理装置からの前記要求への応答として、前記参照情報を前記画像処理装置に送信し、
前記画像出力装置において、
前記画像処理装置に対して、前記画像出力装置の機器構成情報を通知するとともに、印刷データ要求を行ない、
前記画像処理装置において、前記画像出力装置からの前記印刷データ要求への応答として、前記機器構成情報に基づいて、前記記憶された印刷データ、あるいは前記変換サーバより受信した前記参照情報の何れかを前記画像出力装置に出力し、
前記画像出力装置において、前記画像処理装置より前記参照情報を受信した場合は、当該参照情報を基に、前記変換サーバより、前記変換後の印刷データを取得して印刷を行ない、前記画像処理装置より前記印刷データを受信した場合は、当該印刷データを基にして印刷を行うことを特徴とする画像出力方法。
【請求項２４】
ネットワークを介して、画像出力装置と、データの変換を行う変換サーバとに接続される画像処理装置における画像処理方法であって、
前記ネットワークを介して外部装置より受信する印刷データを記憶し、
前記変換サーバに対して前記印刷データの変換処理の要求を行ない、
前記変換サーバより、前記要求への応答として、前記印刷データを所定の形式に変換した後の印刷データの所在を示す参照情報を受信し、
前記画像出力装置より、前記画像出力装置の機器構成情報と、印刷データ要求を受信し、
前記画像出力装置からの前記印刷データ要求への応答として、前記機器構成情報に基づいて、前記記憶された印刷データ、あるいは前記受信した参照情報の何れかを前記画像出力装置に出力することを特徴とする画像処理方法。
【請求項２５】
ネットワークを介して、画像処理装置と、データの変換を行う変換サーバとに接続される画像出力装置における画像出力方法であって、
前記画像処理装置に対して、前記画像出力装置の機器構成情報を通知するとともに、前記画像処理装置が前記ネットワークを介して外部装置より受信して記憶した印刷データの印刷データ要求を行ない、
前記印刷データ要求への応答として、前記画像処理装置より、前記機器構成情報に基づいて、前記記憶した印刷データ、あるいは前記画像処理装置からの要求に対して前記変換サーバが前記印刷データを所定の形式に変換した後の印刷データの所在を示す参照情報の何れかを受信し、
前記画像処理装置より前記参照情報を受信した場合は、当該参照情報を基に、前記変換サーバより、前記変換後の印刷データを取得して印刷を行ない、前記画像処理装置より前記印刷データを受信した場合は、当該印刷データを基にして印刷を行なうことを特徴とする画像出力方法。
【請求項２６】
請求項１０〜２２のいずれか１項に記載の装置をコンピュータで実現させるためのプログラム。